(57)【要約】【目的】  バウンス機能及びキャッチライト機能を有するフラッシュ機構を提供する。【構成】  カメラ頭部に設置されていて、発光部を不使用時には収納し、使用時には起立させて発光させるポップアップ式フラッシュ機構において、上部外装部材１と発光ユニット２の間に格納され、ポップアップ時引き出すことが可能な反射板３を有し、前記発光部を発光管２ｂを中心に後部に反射笠２ｃ、前部に拡散フレネル板２ｄを配し、一体化した発光ユニット２に発光管２ｂに平行な回転軸を設け、当該発光ユニット２を前記フラッシュ機構の外装部の内側に設けた軸受けで支持することにより回動自在な構造とし、フラッシュ撮影時照射角度を変えて得られるバウンス発光及び当該反射板の隠見操作で屈折反射による撮影を可能にした。【選択図】図１
2006078506.tif 000002
【特許請求の範囲】
【請求項１】
カメラ頭部に設置されていて、発光部を不使用時には収納し、使用時には起立させて発光させるポップアップ式フラッシュ機構において、前記発光部を発光管を中心に後部に反射笠、前部にフレネル板を配し、一体化した発光ユニットに発光管に平行な回転軸を設け、当該発光ユニットを前記フラッシュ機構の外装部の内側に設けた軸受けで支持することにより回動自在な構造とし、フラッシュ撮影時照射角度を変えて得られるバウンス発光を可能としたことを特徴とするフラッシュ機構。
【請求項２】
前記ポップアップ式フラッシュ機構の上部外装部材と前記発光ユニットの間に格納され、ポップアップ時引き出すことが可能な反射板であって、前記発光ユニットの照射角変更撮影において、当該反射板の隠見操作で屈折反射による撮影を可能にしたことを特徴とする請求項１記載のフラッシュ機構。
【請求項３】
フラッシュ撮影の通常発光とバウンス発光の区別において発光ユニットの設定角度を検知する角度検知手段を設けたことを特徴とする請求項１記載のフラッシュ機構。
【発明の詳細な説明】
【技術分野】
【０００１】
本発明は、操作性、機能性に優れたフラッシュ機構、及び該フラッシュ機構を備えたカメラに関するもので、被写体に直接フラッシュを投射し撮影する通常の発光と、天井などの他の物体に投射し、その反射光で撮影するバウンス発光と、該バウンス位置に配置した際に、フラッシュ発光部と外形部材との間に配置された反射板を伸ばすことで反射させた被写体に投射し、キャッチライト機能を可能とするフラッシュ機構に関するものである。
【背景技術】
【０００２】
従来よりカメラにおいては、フラッシュ機構を内蔵し、撮影時に利用されているが、バウンス撮影及びキャッチライト撮影をする機能は無かった。それらの機能を用いるには、外付のフラッシュ装置を利用することにより可能であった。
【０００３】
しかしながら、従来の技術においては、カメラに内蔵されているフラッシュ機構があっても、バウンス機能やキャッチライト機能を使うには、該カメラとは別に大型で外付のフラッシュ装置を持ち歩く必要があり、利便性に欠け、安易にそれらの機能を活用することは困難であった。軽装で撮影を行いたい場合や、荷物などに制限のある撮影においては、これらの機能を使えないなどの撮影に制限が生まれるという問題がある。
【０００４】
上記問題の解決策として、特開平９−６１８９９号公報ではカム手段によって発光ユニットの光出射方向及び姿勢を第一の方向と第二の方向とに変換させ、係止手段による係止が解除されるとストロボ装置のポップアップと同時にストロボ光バウンス撮影を可能としたものが提案されている。
【０００５】
図９は前記特開平９−６１８９９号公報で示された内蔵フラッシュの構成を示す断面図である。図９において、バウンス撮影には、２枚の反射板９４ｃ及び９６と頂面フレネル板９４ａとがばね９９の力によりカメラ内からポップアップし、同時に発光管９７ａと反射笠９７ｂとを有する発光ユニット９７が支持軸９７ｃを中心として通常位置から時計方向に回転して光出射方向を上向きに変換する。その際、ポップアップフレーム９４と一体の側板９５に形成されているカム溝９５ａ及び９５ｂに係合しているピン９７ｄ及び９６ｂにより発光ユニット９７と反射板９６の姿勢変換が行われる。バウンス撮影時には前面側のフレネル板９８は該フレーム９４の遮蔽部９４ｂで遮蔽される。
【特許文献１】特開平９−６１８９９号公報
【発明の開示】
【発明が解決しようとする課題】
【０００６】
しかしながら、上記特開平９−６１８９９号公報は発光ユニット９７にフレネルレンズは含まれておらず、フレネル板を２枚使用するため、部品点数も増え、また、該フレネル板の１枚と該発光ユニット９７はカムにより可動させるため、組立て性に欠け、部品点数も増え、バネなど大掛かりな機構を用いざるを得ない。さらに、バウンス位置の状態では、２枚のフレネル板と発光ユニット９７が離れすぎており、光量不足になり易く、現実的な機構とはいえない。
【０００７】
本発明においては、フラッシュ機構を発光位置までポップアップさせて使用し、フレネル板も発光ユニットに含まれ、カム機構も持たないため、シンプルな構造で組み立て性も良好であるが、上記特開平９−６１８９９号公報においては、フラッシュ機構をポップアップさせることを前提にしておらず、カメラ内部でのみ発光部をバウンス位置に配置するため、小型のカメラでしか使用できず汎用性に欠ける。該発光部の発光光量を有効に利用するにはより高い位置に配置することが必須であり、発光部の高い位置でのバウンス効果が求められる。
【０００８】
本発明は、上記の事情に鑑みて成されたものであり、発光部を高い位置にポップアップさせ使用者が任意にフラッシュ発光部を回転させることでバウンス機能を実現すると同時に、外形部材と該フラッシュ発光部の間に、反射板を配置し伸縮可能な構造とすることで、キャッチライト機能を可能としたフラッシュ機構、及び該フラッシュ機構を備えたカメラを提供する。
【課題を解決するための手段】
【０００９】
上記課題を解決するために、本発明は、カメラ頭部に設置されていて、発光部を不使用時には収納し、使用時には起立させて発光させるポップアップ式フラッシュ機構において、フラッシュ撮影の通常発光とバウンス発光の区別において発光ユニットの設定角度を検知する角度検知手段を設け、前記発光部を発光管を中心に後部に反射笠、前部にフレネル板を配し、一体化した発光ユニットに発光管に平行な回転軸を設け、当該発光ユニットを前記フラッシュ機構の外装部の内側に設けた軸受けで支持することにより回動自在な構造とし、フラッシュ撮影時照射角度を変えて得られるバウンス発光を可能とし、また、上部外装部材と前記発光ユニットの間に格納され、ポップアップ時引き出すことが可能な反射板を有し、前記発光ユニットの照射角変更撮影において、当該反射板の隠見操作で屈折反射による撮影を可能にした。
【発明の効果】
【００１０】
本発明は、カメラ頭部に設置されていて、発光部を不使用時には収納し、使用時には起立させて発光させるポップアップ式フラッシュ機構において、フラッシュ撮影の通常発光とバウンス発光の区別において発光ユニットの設定角度を検知する角度検知手段を設け、前記発光部を発光管を中心に後部に反射笠、前部にフレネル板を配し、一体化した発光ユニットに発光管に平行な回転軸を設け、当該発光ユニットを前記フラッシュ機構の外装部の内側に設けた軸受けで支持することにより回動自在な構造とし、フラッシュ撮影時照射角度を変えて得られるバウンス発光を可能とし、また、上部外装部材と前記発光ユニットの間に格納され、ポップアップ時引き出すことが可能な反射板を有し、前記発光ユニットの照射角変更撮影において、当該反射板の隠見操作で屈折反射による撮影を可能にしたので、部品点数を減らし、シンプルな構造で組み立て性も良好にし、操作性、機能性を高めた。
【発明を実施するための最良の形態】
【００１１】
以下、図面等を参照して本発明の最も良好な実施形態を説明する。
【００１２】
図１は本発明のバウンス機能と反射板がスライド可能な状態を示した断面図である。図２は本発明のフラッシュ機構がカメラ内に収納された状態のメカ機構の様子を表した断面図である。図３は本発明のフラッシュ機構をカメラからポップアップさせた状態を示した断面図である。図４はフラッシュ発光部ユニットの斜視図である。図５は本発明のフラッシュ機構がカメラ内に収納された状態の様子を示した断面図である。図６は本発明のフラッシュ機構がポップアップし、通常使用状態を示した断面図である。図７はフラッシュ発光部ユニットが角度を変えて、保持される状態を示した断面図である。図８はカメラ内に配置されたフラッシュ機構をカメラ上部から見たカメラ上面図である。
【００１３】
図２においてフラッシュ機構がカメラ８の頭部に収納されている状態を断面図で示していて、上部平面図は図８に示す通りである。フラッシュ機構は収納時にはカメラ８の頭部の外装機能を有している上部外装部１と両壁５で囲う空間に発光部材を設置した構造で、図２及び図３では発光部材が内側にあって壁５で視認できない状態にある。
【００１４】
いま上部外装部１を電動或いは手動で持ち上げる場合、カメラ８との間にヒンジ機構を構成しているヒンジ軸６を中心に上方に回転し、図３で示すようにフラッシュ機構をポップアップできる。このポップアップ角度は壁５に設置されている円弧状穴１０の中に係入されているカメラ８からの軸１１によって規制されている。
【００１５】
図５は図２の壁５を取り除いてさらに、発光ユニット２の内部を断面図で表示した図で、発光ユニット２は図に示す通り、発光管２ｂを中心に後部に反射笠２ｃを配し、前部を拡散フレネル板２ｄを設置して一体化したもので、外形は図４に示してある。発光ユニット２の筐体側面に発光管２ｂに平行して両側に軸２ｅが突出していて、該軸２ｅを図２及び図３に示す壁５に形成されている軸受け穴４に挿嵌させれば、図５に示す発光ユニット２の搭載が可能となる。
【００１６】
フラッシュ機構の両壁５の間に組み込まれた発光ユニット２は軸２ｅを中心に回転可能であることが判るが、さらに組み込み時、発光ユニット２の後部に設けられているピン２ｆを壁５に設けられている軸受け穴４を中心とした円弧状穴１２に貫通させ、外側に突出したピン２ｆの頭部に図に示すトーションバネ９を固定し、該トーションバネ９の他端を壁５の外側に設けられているピン５ｂに挿入固定した状態で組み立てられている。
【００１７】
搭載された発光ユニット２はカメラ８に収納された状態では図５に示すように拡散フレネル板２ｄを斜め下方に向けた状態に保たれていて、フラッシュ機構をポップアップさせた図６の状態では発光ユニット２の拡散フレネル板２ｄが正面に向き、通常のフラッシュ撮影が可能となる。
【００１８】
次にフラッシュ機構がポップアップした図３の状態において発光ユニット２が軸２ｅを軸として回転する動作を説明すると、図４に示す発光ユニット２のフレネル板の下方近辺につまみ２ａが突起状に成形されていて、つまみ２ａに指をかけ、前方に引くと、発光ユニット２の軸２ｅを中心に時計方向に回転し始めるが、円弧状穴１２に貫通しているピン２ｆが下方に移動し、壁５のピン５ｂに対して近接するためトーションバネ９のたわみ力によって抵抗を感じるが、さらに引き出して、ピン２ｆが円弧状穴１２の約中間位置に当たるピン５ｂに最も接近した位置を通過するとトーションバネ９の付勢力に従って、ピン２ｆは円弧状穴１２の他端に一気に進行して停止し、図７に示す発光ユニット２が仰角の姿勢を保つことになる。通常姿勢から仰角姿勢にはいわゆるクリック動作で変更される。
【００１９】
この状態で使用者がフラッシュを発光させると、上向きの拡散フレネル板２ｄを透過したフラッシュ光は天井等の被写体とは別の物体に投射され、その反射光によって被写体を撮影するバウンス撮影が可能となる。
【００２０】
フラッシュを直接被写体に向けて撮影する通常のフラッシュ撮影に戻すには発光ユニット２のつまみ２ａを今度は半時計方向に回転させれば同様なトーションバネ９の作用でクリック動作を繰り返して、図３に示すように発光ユニット２のピン２ｆが円弧状穴１２のスタート位置に戻る。発光ユニット２の姿勢は検知スイッチ７で検知され、図６の通常姿勢では発光ユニット２の筐体後部端で検知スイッチ７をｏｎに保っているが図１のように発光ユニット２が回転すると検知スイッチ７から後端部が離れ、ｏｆｆになるため発光ユニット２の姿勢が信号として検知できる。フラッシュ発光はＡＦ測距の補助光として用いる場合もあるが、図７のようなバウンス位置にある場合は補助光として利用できないため、発光ユニット２の検知スイッチ７の検知信号によって動作を禁止するか、警告を与えることが可能となる。
【００２１】
さらに、図１は反射板３がスライド可能で、且つバウンス撮影が可能な様子を表したものである。上部外装部材１と該発光ユニット２の間に配設、保持された反射板３を不図示のつまみにより引き出し、伸長させ、図８のようにフラッシュ内側部材に配置された突起形状５ａに当接させて停止し、固定させる。この状態でフラッシュを発光させると、該反射板３での反射光によって、被写体に対してキャッチライト効果を得ることが可能となる。
【００２２】
尚、今回は発光ユニット２は手動で回動させたが、モーターなど、カメラの判断で自動回動させる構造であっても問題ないことは言うまでも無いし、また、反射部材に関しても同様に、モーターなど、カメラの判断で自動伸長させる構造であっても問題ない。
【図面の簡単な説明】
【００２３】
【図１】バウンス機能と反射板がスライド可能な状態を示した断面図である。
【図２】フラッシュ機構がカメラ内に収納された状態のメカ機構の様子を表した断面図である。
【図３】フラッシュ機構をカメラからポップアップさせた状態を示した断面図である。
【図４】フラッシュ発光部ユニットの斜視図である。
【図５】フラッシュ機構がカメラ内に収納された状態の様子を示した断面図である。
【図６】フラッシュ機構がポップアップし、通常使用状態を示した断面図である。
【図７】フラッシュ発光部ユニットが角度を変えて、保持される状態を示した断面図である。
【図８】カメラ内に配置されたフラッシュ機構をカメラ上部から見たカメラ上面図である。
【図９】従来の内蔵フラッシュ機構の構成を示す断面図である。
【符号の説明】
【００２４】
１  上部外装部材
２  発光ユニット
２ａ  つまみ
２ｂ  発光管
２ｃ  反射笠
２ｄ  拡散フレネル板
２ｅ  軸
２ｆ  ピン
３  反射板
４  軸受け穴
５  壁
５ａ  突起形状
５ｂ  ピン
６  ヒンジ軸
７  検知スイッチ
８  カメラ
９  トーションバネ
１０  円弧状穴
１１  軸
１２  円弧状穴
【図１】
2006078506.tif 000003
【図２】
2006078506.tif 000004
【図３】
2006078506.tif 000005
【図４】
2006078506.tif 000006
【図５】
2006078506.tif 000007
【図６】
2006078506.tif 000008
【図７】
2006078506.tif 000009
【図８】
2006078506.tif 000010
【図９】
2006078506.tif 000011